Podtech/llm-jp-corpus-v4-ja_patent huggingface dataset:
【手続補正書】
【提出日】平成25年1月24日(2013.1.24)
【手続補正１】
【補正対象書類名】特許請求の範囲
【補正対象項目名】全文
【補正方法】変更
【補正の内容】
【特許請求の範囲】
【請求項１】
先端部材（tip）を含むカンチレバーの少なくとも1つのアレイを含む物品であって、先端部材を含む該カンチレバーが、該先端部材から基板上への材料の沈着に適合しており、
前記アレイの先端部材密度が少なくとも1,000/平方インチであり、かつ
前記アレイが、前記材料の前記基板上への非特異的な沈着を実質的に防止するように制限された量の前記材料で均質に被覆されている、物品。
【手続補正２】
【補正対象書類名】明細書
【補正対象項目名】００１５
【補正方法】変更
【補正の内容】
【００１５】
少なくとも1つの利点を1つ以上の態様において見いだすことができる。例えば、一態様では、改良は、均質な沈着および二次元ペンアレイ（2Dナノプリントアレイ（2D nano PrintArray）（商標））の基板に対するレベリングの向上に基づき得る。2Dペンアレイが基板表面に対して適切にレベリングされていないと、一部のペン先端部材が他の先端部材よりも先に表面に接触し、一部のペン先端部材が基板表面に全く接触せず、かつ／またはこれら先端部材により基板表面に作用する負荷が異なる場合があり、パターニングが非均質で一貫性のないものとなり得る。少なくとも1つの改良の利点は、2Dペンアレイの全ての先端部材がほぼ同じ作用力で表面にわずかに接触する時点を確実に判定することであり得る。分化研究および製品化をはじめとする幹細胞研究および製品化などの細胞研究および製品化の結果の改良において1つまたはそれ以上の利点を実現することができる。他の利点は以下に記載する。
[本発明1001]
先端部材（tip）を含むカンチレバーの少なくとも1つのアレイを含む物品であって、先端部材を含む該カンチレバーが、該先端部材から基板上への材料の沈着に適合しており、
前記アレイの先端部材密度が少なくとも1,000/平方インチであり、かつ
前記アレイが、前記材料の前記基板上への非特異的な沈着を実質的に防止するように制限された量の前記材料で均質に被覆されている、物品。
[本発明1002]
カンチレバーのアレイがカンチレバーの二次元アレイである、本発明1001の物品。
[本発明1003]
先端部材を含むカンチレバーのアレイがカンチレバーの二次元アレイであり、x方向において、前記先端部材のカンチレバー間隔がx方向において5〜100nmであり、y方向において50ミクロン〜150ミクロンである、本発明1001の物品。
[本発明1004]
カンチレバーのアレイがカンチレバーの二次元直交アレイである、本発明1001の物品。
[本発明1005]
先端部材がナノスコピック先端部材である、本発明1001の物品。
[本発明1006]
先端部材が走査型プローブ顕微鏡先端部材である、本発明1001の物品。
[本発明1007]
先端部材が原子間力顕微鏡先端部材である、本発明1001の物品。
[本発明1008]
先端部材が中空先端部材である、本発明1001の物品。
[本発明1009]
先端部材が中実先端部材である、本発明1001の物品。
[本発明1010]
アレイの先端部材密度が少なくとも10,000/平方インチである、本発明1001の物品。
[本発明1011]
アレイの先端部材密度が少なくとも40,000/平方インチである、本発明1001の物品。
[本発明1012]
アレイの先端部材密度が少なくとも70,000/平方インチである、本発明1001の物品。
[本発明1013]
前記材料が少なくとも1種類の有機材料を含む、本発明1001の物品。
[本発明1014]
前記材料が少なくとも1種類の硫黄化合物を含む、本発明1001の物品。
[本発明1015]
前記材料が少なくとも1種類のチオール化合物を含む、本発明1001の物品。
[本発明1016]
前記材料が、少なくとも1種類の官能化されたまたは官能化されていないアルカンチオール化合物を含む、本発明1001の物品。
[本発明1017]
前記材料が溶媒を実質的に含まない、本発明1001の物品。
[本発明1018]
前記基板が、前記材料に共有結合するかまたは化学吸着するように適合した、本発明1001の物品。
[本発明1019]
前記均質な被覆により、材料の前記基板上への沈着に関するスポットサイズが実質的に同じになる、本発明1001の物品。
[本発明1020]
前記非特異的な沈着の実質的な防止が、基板の少なくとも1平方cmにわたって観察される、本発明1001の物品。
[本発明1021]
先端部材を含むカンチレバーのアレイ上に少なくとも1種類の材料を蒸気コーティングする工程であって、先端部材を含む該カンチレバーが、前記先端部材から基板上への前記材料の沈着に適合した、工程を含み、
前記アレイの先端部材密度が少なくとも1,000/平方インチであり、かつ
蒸気コーティングされる材料の量が、前記基板上への前記材料の非特異的な沈着を実質的に防止するように制限されている、
方法。
[本発明1022]
蒸気コーティングが、1気圧未満の圧力および25℃を超える温度で行われる、本発明1021の方法。
[本発明1023]
蒸気コーティングが、500ミリトル未満の圧力および50℃〜120℃の温度で行われる、本発明1021の方法。
[本発明1024]
蒸気コーティングが、プログラム可能な真空炉を用いた少なくとも2つの蒸気コーティングサイクルを含むプロセスにおいて行われる、本発明1021の方法。
[本発明1025]
蒸気コーティングが、第1の排気工程、続く第1の加熱工程、続く第1の冷却工程、そして次に、少なくとも第2の排気工程、続く第2の加熱工程、および第2の冷却工程によって行われる、本発明1021の方法。
[本発明1026]
前記材料がチオールを含む、本発明1021の方法。
[本発明1027]
少なくとも1種類の材料を先端部材のアレイ上に蒸気コーティングする工程であって、前記先端部材が、前記先端部材から基板への前記材料の沈着に適合した、工程を含み、
前記アレイの先端部材密度が少なくとも1,000/平方インチであり、かつ
蒸気コーティングされる材料の量が、前記基板上への前記材料の非特異的な沈着を実質的に防止するように制限されている、
方法。
[本発明1028]
前記先端部材がカンチレバーの端部に配置されている、本発明1027の方法。
[本発明1029]
前記先端部材がカンチレバーの端部に配置されていない、本発明1027の方法。
【手続補正書】
【提出日】平成25年1月22日(2013.1.22)
【手続補正１】
【補正対象書類名】特許請求の範囲
【補正対象項目名】全文
【補正方法】変更
【補正の内容】
【特許請求の範囲】
【請求項１】
ａ）乳誘導体を供給し、
ｂ）前記乳誘導体から微生物を物理的に分離し、従って、部分的に殺菌された乳誘導体を入手し、そして
ｃ）前記部分的に殺菌された乳誘導体を含んで成る第１組成物を、高温（HT）−処理に暴露し、ここで前記第１組成物は、140〜180℃の範囲の温度に加熱され、長くとも200ｍ秒の期間、前記温度範囲で維持し、そして次に最終的に冷却する、段階を含んで成る、ml当たり０個のコロニー形成単位を含む乳又は乳−関連製品の生成方法。
【請求項２】
ｄ）前記HT−処理された第１組成物を含んで成る第２組成物を包装する段階をさらに含んで成る、請求項１記載の方法。
【請求項３】
段階ａ）の前記乳誘導体が多くとも60％w/wの乳脂肪を含んで成る、請求項１〜２のいずれか１項記載の方法。
【請求項４】
段階ａ）の前記乳誘導体が多くとも４％w/wの乳脂肪を含んで成る、請求項１〜３のいずれか１項記載の方法。
【請求項５】
段階ａ）の前記乳誘導体が、ラクトースを低められた乳を含んで成る、請求項１〜４のいずれか１項記載の方法。
【請求項６】
前記第１組成物の加熱、維持及び冷却を包含するHT−処理の接続時間が、長くとも500m秒である、１〜５のいずれか１項記載の方法。
【請求項７】
前記HT−処理の冷却の持続期間が、長くとも50m秒である、請求項１〜６のいずれか１項記載の方法。
【請求項８】
段階ｄ）の前記包装が、無菌包装である、請求項２〜７のいずれか１項記載の方法。
【請求項９】
処理される液体を、70〜90℃の範囲の温度で、30〜500秒の間、維持することを含んで成る酵素不活性化段階をさらに含んで成る、請求項１〜８のいずれか１項記載の方法。
【請求項１０】
前記第１組成物が、段階ｃ）のHT−処理の前、前記酵素不活性化段階に暴露される、請求項９記載の方法。
【請求項１１】
前記第２組成物が、段階ｄ）の包装の前、前記酵素不活性化段階に暴露される、請求項９又は10記載の方法。
【請求項１２】
請求項１〜11のいずれか１項記載の方法により得られる乳又は乳−関連製品であって、多くとも40％(w/w)のβ−ラクトグロブリンが変性された及び変性されていないβ−ラクトグロブリンの両者の合計量に対して変性されており、そして前記乳又は乳−関連製品がml当たり０個のコロニー形成単位を含むことを特徴とする乳又は乳−関連製品。
【請求項１３】
前記乳又は乳−関連製品の貯蔵寿命が、包装の後、最初の21日、25℃で及び続く時間、５℃で保持される場合、少なくとも49日である、請求項12記載の乳又は乳−関連製品。
【請求項１４】
前記乳又は乳−関連製品の貯蔵寿命が、5℃で保持される場合、少なくとも70日である、請求項12記載の乳又は乳−関連製品。
【請求項１５】
前記乳又は乳−関連製品の貯蔵寿命が、25℃で保持される場合、少なくとも119日である、請求項12記載の乳又は乳−関連製品。
【請求項１６】
前記乳又は乳−関連製品の貯蔵寿命が、25℃で保持される場合、少なくとも182日である、請求項12記載の乳又は乳−関連製品。
【請求項１７】
乳誘導体を、長い貯蔵寿命を有する乳又は−関連製品に転換するための乳加工プラントであって、
−乳誘導体から微生物を除去するよう適合された物理的分離セクション、
−前記物理的分離セクションと液体伝達下にあるHT−処理セクション、ここで前記HT−処理セクションは前記物理的分離セクションの液体製品を140〜180℃の範囲の温度に、長くとも200m秒の間、加熱し、そして続いて、液体製品を冷却するよう適合され、そして
−前記乳加工プラントの製品を包含するために前記HT−処理セクションと、液体伝達下にある包装セクションを含んで成るプラント。
【手続補正書】
【提出日】平成24年12月6日(2012.12.6)
【手続補正１】
【補正対象書類名】特許請求の範囲
【補正対象項目名】全文
【補正方法】変更
【補正の内容】
【特許請求の範囲】
【請求項１】
カテーテルアセンブリを滅菌するシステムであって、
カテーテルであって、近位端と、遠位端と、該カテーテルを通る少なくとも１つの内腔とを有する、カテーテルと、
該カテーテルに沿って位置付けられ、該少なくとも１つの内腔と流体連通する１つ以上の弁であって、該１つ以上の弁は、開放構成と閉鎖構成との間で構成可能である、１つ以上の弁と、
該１つ以上のそれぞれの弁と流体連通するように位置付けられる１つ以上のフィルタと、
細長いマンドレルを有する遠位端シールであって、該細長いマンドレルは、該細長いマンドレルが該カテーテルの遠位端から取り外し可能であるように該カテーテルの遠位端において該少なくとも１つの内腔内に挿入可能であり、該遠位端シールは、該カテーテルの該遠位端に位置付けられる場合に、該少なくとも１つの内腔を隔離する、遠位端シールと
を備える、システム。
【請求項２】
前記近位端に連結されたルアーアセンブリをさらに備え、該ルアーアセンブリは、該ルアーアセンブリを通るガイドワイヤ内腔と膨張内腔とを規定する、請求項１に記載のシステム。
【請求項３】
前記１つ以上の弁は、前記開放構成と前記閉鎖構成との間で構成可能な停止部を有する止め栓を備える、請求項１に記載のシステム。
【請求項４】
前記１つ以上のフィルタは、前記１つ以上のそれぞれの弁の近位端に連結される、請求項１に記載のシステム。
【請求項５】
前記１つ以上のフィルタは、微細孔フィルタを備える、請求項１に記載のシステム。
【請求項６】
前記微細孔フィルタは、０．２μｍ以下の孔を規定する、請求項５に記載のシステム。
【請求項７】
前記細長いマンドレルは、前記カテーテル遠位端を受容するために、該マンドレル上に近位に延在するテーパ状密封部分を有する、請求項１に記載のシステム。
【請求項８】
前記マンドレルは、１ｃｍ−１６０ｃｍの長さを有する、請求項７に記載のシステム。
【請求項９】
前記マンドレルは、前記少なくとも１つの内腔内に摺動可能に挿入されるようにサイズ設定される直径を有する、請求項７に記載のシステム。
【請求項１０】
前記マンドレルは、前記カテーテルの遠位端またはその近傍に位置付けられる膨張バルーンを通って少なくとも部分的に延在するために十分な長さを有する、請求項７に記載のシステム。
【請求項１１】
前記遠位端シールは、細長いマンドレルを備え、該細長いマンドレルは、前記カテーテル遠位端内に挿入するためにサイズ設定されるプラグ部材を有する、請求項１に記載のシステム。
【請求項１２】
前記遠位端シールは、細長いマンドレルを備え、該細長いマンドレルは、前記カテーテル遠位端内に挿入するためにサイズ設定されるテーパ状部分を有する、請求項１に記載のシステム。
【請求項１３】
カテーテルアセンブリを滅菌する方法であって、
カテーテルを提供することであって、該カテーテルは、近位端と、遠位端と、該カテーテルを通る少なくとも１つの内腔とを有する、ことと、
該少なくとも１つの内腔の内部を滅菌することと、
該少なくとも１つの内腔の近位端を密封することと、
該内腔が環境から隔離されるように、該少なくとも１つの内腔の遠位端内に取り外し可能に挿入される細長いマンドレルを介して、該少なくとも１つの内腔の遠位端を密封することと、
該カテーテルの外部を滅菌することと
を含む、方法。
【請求項１４】
内部を滅菌することは、エチレンオキシドまたは放射線を介して滅菌することを含む、請求項１３に記載の方法。
【請求項１５】
前記近位端を密封することは、ガイドワイヤ内腔または膨張内腔を密封することを含む、請求項１３に記載の方法。
【請求項１６】
前記近位端を密封することは、開放構成から閉鎖構成に停止部を作動させることを含む、請求項１３に記載の方法。
【請求項１７】
前記遠位端を密封することは、前記マンドレルの密閉部分が前記カテーテルの遠位端を閉塞するように該細長いマンドレルを前記内腔の遠位端内に挿入することを含む、請求項１３に記載の方法。
【請求項１８】
前記細長いマンドレルは、前記カテーテルの遠位端を閉塞様式において受容するテーパ状密封部分を備える、請求項１７に記載の方法。
【請求項１９】
前記細長いマンドレルは、前記内腔の遠位端を閉塞する差込部分を備える、請求項１７に記載の方法。
【請求項２０】
気体または流体を前記少なくとも１つの内腔内に導入し、前記近位端を密封することに先立って、前記カテーテルに沿って位置付けられるバルーンを少なくとも部分的に膨張させることをさらに含む、請求項１３に記載の方法。
【請求項２１】
前記気体または流体は、前記内腔の滅菌性が維持されるように、少なくとも１つの対応するフィルタを通して、前記少なくとも１つの内腔内に導入される、請求項２０に記載の方法。
【請求項２２】
ステントを前記バルーンに圧着させることをさらに含む、請求項２１に記載の方法。
【請求項２３】
前記少なくとも１つのフィルタを除去することをさらに含む、請求項２２に記載の方法。
【手続補正書】
【提出日】平成25年1月7日(2013.1.7)
【手続補正１】
【補正対象書類名】特許請求の範囲
【補正対象項目名】全文
【補正方法】変更
【補正の内容】
【特許請求の範囲】
【請求項１】
患者の骨盤底筋を刺激する装置であって、
前記患者の身体の骨盤領域内の両側の各々に外部的に適用される少なくとも１つの電極であって、前記電極は、実質的に会陰を包囲し体表面に導電的に接触する領域を累積的に形成し、前記接触する領域は、前記身体の両側の各々において、臀部領域、腰部、大腿部の前面上部及び大伝部の背面上部の各々の少なくとも一部を含んでいる、少なくとも１つの電極と、
前記電極にエネルギーを与えて、前記患者の骨盤底を通って患者を横切る筋肉刺激電流を流すように配置された駆動回路と、を含むことを特徴とする装置。
【請求項２】
前記電極は、前記患者が着用する衣服に組み込まれていることを特徴とする請求項１に記載の装置。
【請求項３】
前記衣服は、各々が前記患者のそれぞれの大腿部の周りを包む２つの部材を含んでおり、
前記部材の各々には、前記身体の片側の前記電極が組み込まれていることを特徴とする請求項２に記載の装置。
【請求項４】
前記部材の各々は、主電極支持部の一端から同じ方向に延在し一方が他方の上側に配置されている２つの側部ストラップを有している主電極支持部を含むことを特徴とする請求項３に記載の装置。
【請求項５】
前記衣服は、前記身体の前記両側の電極が組み込まれた１つの部材を含むことを特徴とする請求項２に記載の装置。
【請求項６】
前記衣服は、主電極支持部の対向する端部から反対方向に延在し一方が他方の上側に配置されている側部ストラップの各々の対を有している主電極支持部を含むことを特徴とする請求項５に記載の装置。
【請求項７】
前記衣服はショートパンツを含むことを特徴とする請求項５に記載の装置。
【請求項８】
前記衣服は、使用時に前記衣服の材料の外側層の下にしまい込まれる少なくとも１つの電極支持フラップを含むことを特徴とする請求項２に記載の装置。
【請求項９】
前記衣服が着用されたときに、前記電極が、前記患者の正中線に対して少なくともほぼ対称的に配置されることを特徴とする請求項２に記載の装置。
【請求項１０】
前記身体の前記両側の各々の前記電極の総面積は、少なくとも約５００ｃｍ２であることを特徴とする請求項１に記載の装置。
【請求項１１】
前記身体の前記両側の各々に複数の電極があることを特徴とする請求項１に記載の装置。
【請求項１２】
前記複数の電極は、前記身体の両側の各々において、
臀部の第１電極と、
腰部の第２電極と、
大腿部の前面上部の第３電極と、
前記大腿部の背面上部の第４電極と、を含むことを特徴とする請求項１１に記載の装置。
【請求項１３】
前記駆動回路は、
二相電流パルスによって前記電極にエネルギーを与えるか、
単純なパルス技術によって前記電極にエネルギーを与えるか、又は
すべての電流相又は選択された電流相の期間に、前記患者の前記身体の片側にある１つ以上の電極と反対側にある１つ以上の電極との間で選択的に電流を流すことによって前記電極にエネルギーを与えるか、のいずれかであることを特徴とする請求項１に記載の装置。
【請求項１４】
各電流パルス中の相ごとの電荷が、５０マイクロクーロン以上であることを特徴とする請求項１３に記載の装置。
【請求項１５】
前記駆動回路は、各電極のインピーダンスを測定して、前記各電極の所定の合否基準を満たさない場合に不良状態を知らせるための手段を含むことを特徴とする請求項１に記載の装置。
【請求項１６】
前記駆動回路は、各電極又はいずれかの電極セットの表面接触面積を見積って、見積もられた接触面積が所定のしきい値未満の場合又は同じサイズの他の電極の所定量より低い場合に不良状態を知らせるための手段を含むことを特徴とする請求項１に記載の装置。
【手続補正書】
【提出日】平成24年12月27日(2012.12.27)
【手続補正１】
【補正対象書類名】特許請求の範囲
【補正対象項目名】全文
【補正方法】変更
【補正の内容】
【特許請求の範囲】
【請求項１】
ヘッドレストレイントに対するブランクであって：
開放端を有するフレーム；及び
該フレームを横切って広がる変形可能なシート；
を含み、主要な穴が前記フレーム内の前記シートの中心部分に提供されるとともに一対の付加的な穴が前記フレームの前記開放端に向かって前記フレームに隣接して前記主要な穴の両側の前記シート内に提供され、前記穴および前記シートの配置が、前記シートが患者の頭部の上に前記フレーム内で患者の頸部が前記フレームの前記開放端を通って延びる状態で置かれることよって変形させられた場合に、前記フレームの前記開放端から離れた前記シートの一部が前記患者の頭部の上部を囲むように変形するとともに前記フレームの前記開放端に隣接する前記シートの一部が患者のあごを囲むあごひもになるように変形し、前記主要な穴が患者の顔を実質的に前記シートから解放したままであるようにし、前記主要な穴および前記付加的な穴の配置が、前記シートのうち前記主要な穴と前記付加的な穴との間にある部分によって、前記フレームに隣接する取り付け点と前記患者のあごを囲む前記あごひもになるように変形される前記シートの前記一部との間に延びる保持ストラットを形成させるようにある、ブランク。
【請求項２】
前記フレームがＵ字形フレームを含む、請求項１に記載のブランク。
【請求項３】
前記主要な穴が、三角形か又は不等辺四辺形の形状である、請求項１又は２に記載のブランク。
【請求項４】
前記主要な穴が、中心にある長方形部分、及び、該中心にある長方形部分のわきに一対の翼状の部分を含む、請求項１又は２に記載のブランク。
【請求項５】
前記中心にある長方形部分のわきにある前記翼状の部分が、実質的に三角形の形状である、請求項４に記載のブランク。
【請求項６】
前記付加的な穴が、実質的に三角形の形状である、請求項２乃至５のうちいずれか一項に記載のブランク。
【請求項７】
前記主要な穴の縁が、前記付加的な穴の１つの縁と実質的に平行である、請求項６に記載のブランク。
【請求項８】
前記変形可能なシートが、加熱されたときに変形可能であるとともに冷たいときに硬化している熱可塑性材料を含む、請求項１乃至７のうちいずれか一項に記載のブランク。
【請求項９】
前記シートが打ち抜き穴のあけられたシートを含む、請求項１乃至８のうちいずれか一項に記載のブランク。
【請求項１０】
前記シート内の前記打ち抜き穴が、異なるサイズの穴である、請求項９に記載のブランク。
【請求項１１】
前記シートのうち少なくともいくつかの部分が、実質的に前記打ち抜き穴がない、請求項９又は１０に記載のブランク。
【手続補正書】
【提出日】平成24年12月7日(2012.12.7)
【手続補正１】
【補正対象書類名】特許請求の範囲
【補正対象項目名】全文
【補正方法】変更
【補正の内容】
【特許請求の範囲】
【請求項１】
方向付けガイドにおいて、
外科器具に連結するように構成されたハウジングと、
前記ハウジングに旋回可能に連結された第１のインジケーターであって、前記第１のインジケーターは、第１の軸周りで前記ハウジングに対して回転し、前記ハウジングの動きに関係なく、垂直軸に対して前記第１の軸周りにおける角度位置を維持することができる、第１のインジケーターと、
前記第１のインジケーターを囲み、前記ハウジングに旋回可能に連結された第２のインジケーターであって、前記第２のインジケーターは、前記第１の軸に直交する第２の軸周りで前記ハウジングに対して回転し、前記ハウジングの動きに関係なく、前記垂直軸に対して前記第２の軸周りにおける角度位置を維持することができる、第２のインジケーターと、
を含み、
前記第１および第２のインジケーターは、前記ハウジングの動きに関係なく、前記垂直軸に対してそれぞれの軸周りにおけるそれらの角度位置を維持するように、重みをかけられ、
前記第１および第２の軸周りにおける前記ハウジングの角度位置は、前記第２のインジケーターに対する前記第１のインジケーターの位置により示される、方向付けガイド。
【請求項２】
請求項１に記載の方向付けガイドにおいて、
前記第１および第２のインジケーターのうち少なくとも一方は、計器を含み、前記第１および第２の軸のうち少なくとも一方の軸周りにおける前記第２のインジケーターに対する前記第１のインジケーターの位置を測定することができる、方向付けガイド。
【請求項３】
請求項１または２に記載の方向付けガイドにおいて、
前記第１のインジケーターは、第１のリングを含む、方向付けガイド。
【請求項４】
請求項３に記載の方向付けガイドにおいて、
前記第２のインジケーターは、前記第１のリングを囲む第２のリングを含む、方向付けガイド。
【請求項５】
請求項４に記載の方向付けガイドにおいて、
前記ハウジングは、前記第２のリングを囲む第３のリングを含み、前記第１、第２、および第３のリングは、同心に配列されている、方向付けガイド。
【請求項６】
請求項４または５に記載の方向付けガイドにおいて、
前記第１および第２の軸周りにおける前記ハウジングの角度位置は、前記第１および第２のリング周囲でこれらのリングが交差する位置により示される、方向付けガイド。
【請求項７】
請求項６に記載の方向付けガイドにおいて、
前記第２のリングは、前記リングの外周の周囲に延びる計器を含み、前記第１のリングは、第１の整合マークを含み、前記第１の軸周りにおける前記ハウジングの角度位置は、前記計器に対する前記第１の整合マークの位置により示される、方向付けガイド。
【請求項８】
請求項６または７に記載の方向付けガイドにおいて、
前記第１のリングは、第２および第３の整合マークをさらに含み、前記第２の軸周りにおける前記ハウジングの角度位置は、前記第２および第３の整合マークに対する前記第２のリングの位置により示される、方向付けガイド。
【請求項９】
請求項８に記載の方向付けガイドにおいて、
前記第２の軸周りにおける前記ハウジングの第１の所定角度位置が、前記第２の整合マークと第３の整合マークとの間に位置する前記第２のリングにより示される、方向付けガイド。
【手続補正書】
【提出日】平成25年1月28日(2013.1.28)
【手続補正１】
【補正対象書類名】特許請求の範囲
【補正対象項目名】全文
【補正方法】変更
【補正の内容】
【特許請求の範囲】
【請求項１】
受精鳥卵の生産性を高める方法であって、
ａ）前記卵の外表面を：
ｉ．水性溶剤、
ｉｉ．皮膜形成性コーティング剤、および
ｉｉｉ．１種または複数種の界面活性剤、
を含む液体コーティング組成物で処理するステップ、
ｂ）前記液体コーティング組成物で前記卵にコーティングを形成するステップ、
ｃ）前記卵をすすいで、前記卵からコーティングを除去するステップ、
ｄ）前記卵を孵化可能な条件下で孵卵させるステップ、
を含み、
（ａ）〜（ｃ）に定義されているとおり処理されていない対照卵と比して前記鳥卵の生産性が高まる、方法。
【請求項２】
前記コーティング組成物が、前記卵の外表面の温度よりも少なくとも５℃高い温度で前記卵に適用される、請求項１に記載の方法。
【請求項３】
前記界面活性剤が、コーティング組成物の表面張力を約２０〜約５０ｍＮ／ｍとする、請求項１に記載の方法。
【請求項４】
１）前記液体コーティング組成物の適用前に水性溶剤で前記卵を１回または複数回すすぐステップ、または、２）ステップ（ｂ）において前記コーティングを形成させた後であって、ステップ（ｃ）において前記コーティングを除去する前に、１〜約３０日間の間前記卵を保管するステップ、または、上記ステップの任意の組み合わせをさらに含む、請求項１に記載の方法。
【請求項５】
前記液体コーティング組成物が、抗菌剤、または、着色剤をさらに含む、請求項１に記載の方法。
【請求項６】
前記皮膜形成性コーティング剤が、前記液体コーティング組成物の０．５〜２０重量％のレベルで存在する、請求項１に記載の方法。
【請求項７】
前記皮膜形成性コーティング剤が、前記液体コーティング組成物の５重量％〜１２重量％のレベルで存在する、請求項６に記載の方法。
【請求項８】
前記液体コーティング組成物が、前記卵を前記組成物中に浸漬させることにより、または、前記組成物を前記卵に噴霧することにより適用される、請求項１に記載の方法。
【請求項９】
ａ）水性溶剤、
ｂ）皮膜形成性コーティング剤、および
ｃ）１種または複数種の界面活性剤、
を含む、卵の外表面をコーティングするための液体コーティング組成物であって、
前記液体コーティング組成物は、卵の外表面に適用されたときにコーティングを形成し、および、前記コーティングは、水溶液を用いることで前記外表面から容易に除去可能である液体コーティング組成物。
【請求項１０】
抗菌剤、着色剤、レオロジー変性剤、架橋剤、可塑剤、可溶化剤、酸化防止剤、ｐＨ調整剤、湿潤剤、消泡剤、増量剤、加工助剤、追加の性能増強剤およびこれらの混合物からなる群から選択される１種または複数種の追加の成分をさらに含む、請求項９に記載の液体コーティング組成物。
【請求項１１】
前記皮膜形成剤が、前記液体コーティング組成物の０．５重量％〜２０重量％の量のポリビニルアルコールまたはそのコポリマーであり、および、前記界面活性剤が、前記液体コーティング組成物の０．００１重量％〜０．５重量％の量のシリコーン系界面活性剤である、請求項９に記載の液体コーティング組成物。
【手続補正書】
【提出日】平成25年1月10日(2013.1.10)
【手続補正１】
【補正対象書類名】特許請求の範囲
【補正対象項目名】全文
【補正方法】変更
【補正の内容】
【特許請求の範囲】
【請求項１】
強化画像を生成する方法であって、
画像を受信するステップと、
前記画像から副画像のセットを生成するステップであって、前記副画像のセットの異なる副画像が画像の異なる空間周波数帯域に対応する、ステップと、
前記画像の少なくとも第１の画素領域に対して、
前記第１の画素領域の隣接領域における画素値変化量を決定するステップと、
前記画素値変化量に応じて、前記第１の画素領域と副画像の対応する画素領域とを組み合わせることにより、前記強化画像に対する強化画素領域を生成するステップと、
エネルギ変化クラスのセットの各クラスに対する組み合わせパラメータのセットを与えるステップと、
前記画素値変化量に応じて前記画素領域に対するエネルギ変化クラスのセットから第１のエネルギ変化クラスを選択するステップと、
前記第１のエネルギ変化クラスに対応する組み合わせパラメータの第１のセットを取り出すステップとを有し、
組み合わせは、前記組み合わせパラメータの第１のセットに応じたものである、方法。
【請求項２】
前記強化画素領域を生成するステップは、
前記画素値変化量に応じて強化パラメータのセットを決定するステップであって、前記強化パラメータのセットが前記副画像のセットの各副画像の強化パラメータを有する、ステップと、
前記副画像の前記強化パラメータを、前記第１の画素領域に対応する前記副画素内の画素領域に適用することにより、各副画像の変更された画素領域を生成するステップと、
前記第１の画素領域と前記変更された画素領域とを組み合わせることにより前記強化画素領域を生成するステップとを有する、請求項１に記載の方法。
【請求項３】
前記強化画素領域を生成するステップは、前記第１の画素領域と前記対応する画素領域との重み付けされた組み合わせにより前記強化画素領域を生成するステップを有し、前記重み付けされた組み合わせの重み付けは、前記画素値変化量に応じて決定される、請求項
１に記載の方法。
【請求項４】
より低い周波数の副画像に対するより高い周波数の副画像の重み付けは、より低い画素値変化量の、より低い周波数の副画像に対するより高い周波数の副画像の重み付けと比較して、より高い画素変化量に対して増大される、請求項３に記載の方法。
【請求項５】
前記強化画素領域を生成するステップは、より低い画素値変化量に対するより高い画素値変化量の少なくとも１つのより高い周波数の副画像のバイアスを増大させるステップを有する、請求項１に記載の方法。
【請求項６】
前記隣接領域は、前記第１の画素領域に対して５０画素よりも少ない距離を伴う画素だけを有する、請求項１に記載の方法。
【請求項７】
前記画素値変化量を決定するステップは、前記画素値変化量を決定する前に前記隣接領域をサブサンプリングするステップを有する、請求項１に記載の方法。
【請求項８】
前記画素値変化量を決定するステップは、
画素エネルギ間隔のセットを与えるステップと、
前記隣接領域の画素を前記画素エネルギ間隔のセットに分割するステップと、
前記画素エネルギ間隔のセットのうち少なくとも１つにおける多数の画素に応じて前記画素値変化量を決定するステップとを有する、請求項１に記載の方法。
【請求項９】
前記画素値変化量は、大部分の画素を有する多数の間隔における画素の割合の関数として決定される、請求項８に記載の方法。
【請求項１０】
前記画素値変化量を決定するステップは、前記隣接領域の画素の画素エネルギに応じて前記画素値変化量を決定するステップを有する、請求項１に記載の方法。
【請求項１１】
前記画素値変化量を決定する前に空間周波数を第１の周波数よりも低く減衰させるステップを更に有する、請求項１０に記載の方法。
【請求項１２】
前記画像に対するノイズ推定を生成するステップを更に有し、
組み合わせは、更に前記ノイズ推定に応じたものである、請求項１に記載の方法。
【請求項１３】
請求項１〜１２のうちいずれか一項に記載の方法を実行するためのコンピュータプログラム。
【請求項１４】
強化画像を生成するための装置であって、
画像を受信する手段と、
前記画像から副画像のセットを生成する手段であって、前記副画像のセットの異なる副画像が画像の異なる空間周波数帯域に対応する、手段と、
前記画像の少なくとも第１の画素領域に対して、
前記第１の画素領域の隣接領域における画素値変化量を決定するステップと、
前記画素値変化量に応じて、前記第１の画素領域と副画像の対応する画素領域とを組み合わせることにより、前記強化画像に対する強化画素領域を生成するステップと、
エネルギ変化クラスのセットの各クラスに対する組み合わせパラメータのセットを与えるステップと、
前記画素値変化量に応じて前記画素領域に対するエネルギ変化クラスのセットから第１のエネルギ変化クラスを選択するステップと、
前記第１のエネルギ変化クラスに対応する組み合わせパラメータの第１のセットを取り出すステップとを実行する手段とを有し、
組み合わせは、前記組み合わせパラメータの第１のセットに応じたものである、装置。
【手続補正書】
【提出日】平成25年1月28日(2013.1.28)
【手続補正１】
【補正対象書類名】特許請求の範囲
【補正対象項目名】全文
【補正方法】変更
【補正の内容】
【特許請求の範囲】
【請求項１】
システム内の複数のゲストの第１のゲストに割り当てられる周辺デバイスをソースとする割り込みとやりとりする割り込みメッセージを受信することと、
前記第１のゲストに関連するメモリ内のデータ構造内に前記割り込みを記録して、前記第１のゲストが実行中であるときに前記割り込みが前記第１のゲストへ受け渡されることを可能にすることとを備えた方法。
【請求項２】
前記第１のゲストに割り当てられ且つ前記第１のゲスト内での前記割り込みに対する宛先である第１の割り込み制御器へ前記割り込みを伝えることを更に備えた請求項１に記載の方法。
【請求項３】
割り込み制御器状態は割り込み制御器内の割り込み要求レジスタの状態を含み、前記割り込みは割り込みベクトルを含み、前記割り込み要求レジスタは前記ベクトルに関連するビット位置を含み、前記割り込みを記録することは前記データ構造内の前記ビット位置におけるビットをセットすることを備えている請求項１に記載の方法。
【請求項４】
前記ビットをセットすることはアトミックである請求項３に記載の方法。
【請求項５】
前記ビットをセットすることはセットされたビットについて前記ビット位置内へアトミックに論理和を取ることを備えている請求項４に記載の方法。
【請求項６】
システム上で実行可能なゲストを対象とする割り込みに対応する割り込みメッセージを受信するように構成されるゲスト割り込みマネージャであって、前記割り込みメッセージが受信されているときに前記ゲストが前記システム内でアクティブでないとしても前記ゲストへの前記割り込みの受け渡しを確実にするために前記割り込みをメモリシステム内のデータ構造内に記録するように構成されるゲスト割り込みマネージャ。
【請求項７】
前記データ構造は所与のゲストに対して割り込み制御器の状態の少なくとも一部分を記憶するように構成され、前記状態は割り込み要求レジスタの状態を含み、前記ゲスト割り込みマネージャは前記割り込み要求レジスタの前記状態を更新して前記割り込みを記録するように構成される請求項６に記載のゲスト割り込みマネージャ。
【請求項８】
前記割り込み要求レジスタは前記割り込み制御器によってサポートされる各割り込みベクトルに対応するビットを含み、前記割り込みメッセージは前記割り込みの前記割り込みベクトルを含み、前記ゲスト割り込みマネージャは前記割り込みメッセージからの前記割り込みベクトルに対応する前記ビットを更新するように構成される請求項７に記載のゲスト割り込みマネージャ。
【請求項９】
メモリシステムと、
請求項６〜８のいずれかに記載のゲスト割り込みマネージャとを備えたシステム。
【請求項１０】
前記割り込みを開始するように構成される周辺デバイスと、
前記周辺デバイスから前記割り込みを受信するように構成される入力／出力メモリ管理ユニット（ＩＯＭＭＵ）とを更に備えた請求項９に記載のシステムであって、
前記ＩＯＭＭＵは前記割り込みを前記メモリ内の１つ以上の第２のデータ構造内のデータに応答する前記ゲストと関連付けるように構成され、前記ＩＯＭＭＵは前記ゲストと関連している前記割り込みに応答するゲストを識別するゲスト識別子を含む前記割り込みメッセージを送信するように構成されるシステム。
【請求項１１】
前記ゲストに割り当て可能な割り込み制御器を更に備えた請求項１０に記載のシステムであって、前記割り込み制御器は前記ゲストの前記ゲスト識別子を記憶するように構成され、前記割り込み制御器は受信した割り込みメッセージからの前記ゲスト識別子を前記割り込み制御器内のゲスト識別子と比較するように構成され、前記割り込み制御器は前記ゲスト識別子の比較における整合に応答する前記割り込みを受け入れるように構成されるシステム。
【請求項１２】
前記ゲスト割り込みマネージャは、前記ＩＯＭＭＵからの前記割り込みメッセージに応答し且つ前記データ構造内に記録されている前記割り込みに応答して前記割り込みメッセージを前記割り込み制御器へ送信するように構成される請求項１１に記載のシステム。
【請求項１３】
ホストによって制御され且つプロセッサ上で実行可能なゲストを対象とするゲスト割り込みとやりとりするゲスト割り込みメッセージを前記プロセッサに結合されるゲスト割り込み制御器において受信することと、
前記ゲスト割り込み制御器内に記憶されるゲスト識別子を前記ゲスト割り込みメッセージにおける受信したゲスト識別子と整合させることと、
前記ゲスト割り込み制御器内の少なくとも１つの宛先識別子をゲストメッセージにおける受信した宛先識別子と整合させることと、
前記ゲスト識別子を整合させること及び前記少なくとも１つの宛先識別子を整合させることに応答する前記ゲスト割り込み制御器において前記割り込みを受け入れることとを備えた方法。
【請求項１４】
プロセッサ上で実行可能なホストを対象とする第１の割り込みとやりとりする第１の割り込みメッセージを前記プロセッサに結合される第１の割り込み制御器において受信することと、
前記ホストによって制御され且つ前記プロセッサ上で実行可能なゲストを対照とする第２の割り込みとやりとりする第２の割り込みメッセージを前記プロセッサに結合される請求項１に記載のゲスト割り込み制御器である第２の割り込み制御器において受信することと、
前記第１の割り込みメッセージを受信することに応答して前記第１の割り込み制御器が前記第１の割り込みを前記プロセッサへ受け渡すことと、
前記第２の割り込みメッセージを受信することに応答して前記第２の割り込み制御器が前記第２の割り込みを前記プロセッサへ受け渡すこととを更に備えた請求項１３に記載の方法。
【手続補正書】
【提出日】平成24年12月25日(2012.12.25)
【手続補正１】
【補正対象書類名】特許請求の範囲
【補正対象項目名】全文
【補正方法】変更
【補正の内容】
【特許請求の範囲】
【請求項１】
湿度による障害を受けた感湿性試薬を検出するための方法であって、前記試薬を水を含む試料と接触させ、前記試料中の分析対象物の存在を前記感湿性試薬とのその反応によって検出し、前記方法が
（ａ）前記試薬を前記試料と接触させたのち二つの所定の時間で、前記感湿性試薬と前記分析対象物との前記反応の生成物の波長における反射率を計測すること、
（ｂ）同じ二つの所定の時間で、（ａ）で計測された波長から少なくとも１２０nm離れた特徴的な波長を有する赤外基準染料の波長の光の反射率を計測すること、
（ｃ）（ａ）及び（ｂ）で計測した波長の比を計算し、前記二つの所定の時間の間の前記比の変化から、試薬が予測よりも低い活性を有すると結論づけること
を含む方法。
【請求項２】
前記二つの所定の時間の最初の時間に（ａ）及び（ｂ）で計測された波長の比を使用して、潜在的に湿度による障害を受けた感湿性試薬を示す、請求項１記載の方法。
【請求項３】
前記二つの所定の時間の最初の時間で計測された波長の比と、第一及び第二の所定の時間の間の比の変化とを組み合わせて使用して、感湿性試薬が湿度による障害を受けているかどうかを決定する、請求項２記載の方法。
【請求項４】
決定された結果に対する試料色干渉の可能性を示すために事前に決定された二つの波長における光の反射率を計測するステップをさらに含む、請求項３記載の方法。
【請求項５】
前記感湿性試薬が、プロテアーゼ酵素を検出するために使用されるタンパク分解基質に基づく、請求項１記載の方法。
【請求項６】
前記感湿性試薬が、プロテアーゼインヒビタを検出するために使用されるタンパク分解基質に基づく、請求項１記載の方法。
【請求項７】
前記試料が尿であり、前記分析対象物が白血球である、請求項５記載の方法。
【請求項８】
試料が尿であり、前記分析対象物が尿トリプシンインヒビタである、請求項６記載の方法。
【請求項９】
前記感湿性試薬が、ジアゾニウム塩及び白血球の存在下において加水分解に付されるエステルを含む、請求項７記載の方法。
【請求項１０】
前記基準染料が前記感湿性試薬と合わされる、請求項１記載の方法。
【請求項１１】
前記基準染料が前記感湿性試薬から離れて位置する、請求項１記載の方法。
【請求項１２】
湿度による障害を受けた感湿性試薬を拒絶することをさらに含む、請求項１記載の方法。
【請求項１３】
試験片を用いて尿試料中の白血球を計測するための方法であって、前記試験片がジアゾニウム塩及び白血球の存在下において加水分解に付されるエステルを含む試薬を含有し、前記方法が前記ジアゾニウム塩と加水分解エステルとの反応生成物に特徴的な波長の光の反射の関数として、事前に選択された基準波長における光の反射に対して、尿試料中の白血球の量を計算する方法であり、前記反射光が、尿試料を前記試薬に塗布したのち約１〜３分後に計測されるものであり、
（ａ）前記反応生成物に特徴的な波長から少なくとも１２０nm離れた特徴的な反射率波長を有する赤外基準染料を前記試験片に加えること、
（ｂ）前記尿試料を前記試薬に塗布したのち約２０秒及び約６０秒で前記反応生成物の波長及び基準染料に特徴的な波長における光の反射率を計測すること、
（ｃ）前記２０及び６０秒時間それぞれに関して（ｂ）で測定された前記基準染料の計測された波長に対する前記反応生成物の波長において計測された反射率の比を計算し、前記比をＬ20及びＬ60と指定すること、
（ｄ）Ｌ20−Ｌ60が第一の所定の値未満であり、Ｌ20が第二の所定の値未満である場合、組成物含有基質が湿度による障害を受けていると結論づけること、
（ｅ）約４７０及び約６２５nmの波長の光の反射率を計測し、比４７０／６２５nmを計算すること、
（ｆ）比４７０／６２５nmが第三の所定の値を超えるならば、その尿試料が、ステップ（ｄ）で到達した結論に影響するのに十分なほどの色を有しないと結論づけること、及び
（ｇ）白血球濃度に関する計算値を拒絶すること
によって湿度による障害を受けた試薬を検出することを含む方法。
【請求項１４】
前記反応生成物の光反射率が約５２０〜５７０nmである、請求項１３記載の方法。
【請求項１５】
前記基準染料の光反射率が約８２５nmである、請求項１３記載の方法。
【請求項１６】
前記加水分解性エステルに対する前記基準染料の比が約０．５％よりも大きく、それにより、前記試料及び前記試験片の色のバックグラウンド干渉を減らす、請求項１３記載の方法。
【請求項１７】
前記基準染料が、フタロシアニン及びナフタロシアニン化合物、金属錯体染料、ポリメチン染料、ジ及びトリフェニルメタン染料、キニン染料、アゾ染料、電荷移動染料並びに電荷共鳴染料からなる群より選択される、請求項１３記載の方法。
【請求項１８】
前記基準染料がＤＴＯ１４１である、請求項１７記載の方法。
【請求項１９】
前記加水分解性エステルがＰＰＴＡであり、前記ジアゾニウム塩がＤＳＮＡである、請求項１３記載の方法。
【請求項２０】
前記第一の所定の値が反射率比５２０〜５７０nm／８２５nm×１０００＝５０である、請求項１３記載の方法。
【請求項２１】
前記第二の所定の比が反射率比５２０〜５７０nm／８２５nm×１０００＝７００である、請求項１３記載の方法。
【請求項２２】
前記第三の所定の比が反射率比４７０nm／６２５nm×１０００＝６００である、請求項１３記載の方法。
【請求項２３】
（ｈ）（ｇ）の拒絶ステップを前記方法のユーザに報告することをさらに含む、請求項１３記載の方法。
【請求項２４】
前記基準染料が前記試薬と合わされる、請求項１３記載の方法。
【請求項２５】
前記基準染料が前記試薬から離れて位置する、請求項１３記載の方法。
【請求項２６】
請求項１の方法を実施するための反射分光器。
【請求項２７】
請求項１３の方法を実施するための反射分光器。
【手続補正書】
【提出日】平成24年12月18日(2012.12.18)
【手続補正１】
【補正対象書類名】特許請求の範囲
【補正対象項目名】全文
【補正方法】変更
【補正の内容】
【特許請求の範囲】
【請求項１】
温度制御圧力調節器であって、
第１の通路を介して出口に流体連通される入口を有する、調節器本体と、
前記調節器本体に連結された加熱チャンバと、
前記加熱チャンバ内に少なくとも部分的に配置され、内面を有する少なくとも一つの開口部を規定する本体を有する加熱ブロックと、
前記加熱ブロック内に少なくとも部分的に配置された加熱素子とを備え、
前記第１の通路の一部分が前記開口内に受容され、前記加熱素子は前記加熱ブロックに熱を供給し、前記加熱ブロックは、プロセス流体が前記第１の通路を介して前記加熱ブロックを通って流れる際、前記プロセス流体に熱を提供するためのものであり、前記第１の通路は、前記プロセス流体を前記加熱ブロックから分離する、温度制御圧力調節器。
【請求項２】
第２の通路をさらに備え、前記入口は、前記第１の通路を介して前記調節器本体の入口チャンバに流体連通され、前記出口は、前記第２の通路を介して前記調節器本体の圧力チャンバに流体連通される、請求項１に記載の温度制御圧力調節器。
【請求項３】
前記加熱ブロックの一つの開口部は、前記第２の通路の少なくとも一部分を受容し、前記加熱ブロックは、前記プロセス流体が前記第２の通路を介して前記加熱ブロックを通って流れる際、前記プロセス流体に熱を与えるためのものであり、前記第２の通路は、前記プロセス流体を前記加熱ブロックから分離する、請求項２に記載の温度制御圧力調節器。
【請求項４】
前記第１の通路または前記第２の通路のうちの少なくとも１つは、チューブを備える、請求項２又は請求項３に記載の温度制御圧力調節器。
【請求項５】
前記チューブは、前記チューブの外面の少なくとも一部分が、前記開口部の内面に接触するように、前記加熱ブロックの前記開口部内に少なくとも部分的に配置される、請求項４に記載の温度制御圧力調節器。
【請求項６】
前記加熱素子は、前記調節器本体から実質的に熱的に分離される、請求項１乃至請求項５のいずれかに記載の温度制御圧力調節器。
【請求項７】
前記加熱ブロックは、前記加熱ブロックの長手軸を通る孔をさらに備え、前記孔は、前記加熱素子を受容するものである、請求項１乃至請求項６のいずれかに記載の温度制御圧力調節器。
【請求項８】
前記加熱ブロックの外面と前記調節器本体の内面との間に空隙が形成されている、請求項１乃至請求項７のいずれかに記載の温度制御圧力調節器。
【請求項９】
前記加熱素子に動作可能に連結され、かつ前記プロセス流体の温度を感知するための温度センサを有する、制御ユニットをさらに備え、前記制御ユニットは、前記プロセス流体の前記温度に基づき、前記加熱素子に、前記加熱ブロックに熱を与える、請求項１乃至請求項８のいずれかに記載の温度制御圧力調節器。
【請求項１０】
前記調節器本体内の前記入口チャンバと前記圧力チャンバとの間に配置される、流量制御部材をさらに備え、前記流量制御部材は、流体が前記入口と前記出口との間を流れるのを防止する、第１の位置と、流体が前記入口と前記出口との間を流れることを可能にする、第２の位置との間で移動する、請求項１乃至請求項９のいずれかに記載の温度制御圧力調節器。
【請求項１１】
前記加熱素子は、電気カートリッジ加熱器を備える、請求項１乃至請求項１０のいずれかに記載の温度制御圧力調節器。
【請求項１２】
前記加熱ブロックの前記本体は、実質的に円柱状である、請求項１乃至請求項１１のいずれかに記載の温度制御圧力調節器。
【請求項１３】
前記加熱ブロックは、アルミニウムである、請求項１乃至請求項１２のいずれかに記載の温度制御圧力調節器。
【請求項１４】
前記チューブの直径は、約０．０６７５インチである、請求項４又は請求項５に記載の温度制御圧力調節器。
【請求項１５】
前記加熱ブロックは、前記第１の通路または前記第２の通路のうちの少なくとも１つを受容するための複数の開口部を備える、請求項２に記載の温度制御圧力調節器。
【手続補正書】
【提出日】平成24年12月13日(2012.12.13)
【手続補正１】
【補正対象書類名】特許請求の範囲
【補正対象項目名】全文
【補正方法】変更
【補正の内容】
【特許請求の範囲】
【請求項１】
暗号化されたコンテンツおよび１つまたは複数の暗号化式を格納するファイルを受信するステップであって、前記暗号化されたコンテンツが前記１つまたは複数の暗号化式によって暗号化される、ステップと、
ＤＲＭ保護されたファイルを前記受信されたファイルから作成するために、前記１つまたは複数の暗号化式を使用して複数の保護システムを前記暗号化されたコンテンツに適用するステップであって、前記複数の保護システムのそれぞれは、前記受信されたファイルに含まれる対応する保護システムヘッダーボックスを定義し、各保護システムヘッダーボックスは、前記暗号化されたコンテンツの解読を可能にするライセンス情報を格納する、ステップと、
前記ＤＲＭ保護されたファイルを、前記暗号化されたコンテンツの解読のために１つまたは複数のコンピューティングデバイスに送信するステップであって、前記解読は、前記適用された複数の保護システムに対応する前記保護システムヘッダーボックスに格納された前記ライセンス情報を判定し、前記判定されたライセンス情報は、前記暗号化されたコンテンツを解読するための解読キーの取得を可能にする、ステップと
を含む方法。
【請求項２】
前記複数の保護システムを前記暗号化されたコンテンツに適用するステップが、前記複数の保護システムのそれぞれのためのメタデータを前記受信されたファイルに付加するステップを含み、前記メタデータが、解読キー、権利オブジェクト、およびライセンス情報のうちの１つまたは複数を定義する、請求項１に記載の方法。
【請求項３】
前記ファイルを受信するステップが、キーマッピング情報を格納するファイルを受信するステップを含み、前記暗号化されたコンテンツが、前記キーマッピング情報を使用して暗号化される、請求項１に記載の方法。
【請求項４】
前記ライセンス情報を前記保護システムヘッダーボックス中に埋め込むステップをさらに含む請求項１に記載の方法。
【請求項５】
前記ライセンス情報への参照を前記保護システムヘッダーボックス中に埋め込むステップをさらに含む請求項１に記載の方法。
【請求項６】
前記複数の保護システムを前記コンテンツに適用するステップが、前記暗号化されたコンテンツの別のコピーを作成することなく、前記複数の保護システムを前記暗号化されたコンテンツに適用するステップを含む、請求項１に記載の方法。
【請求項７】
前記ファイルを受信するステップが、ムービーに対応するファイルを受信するステップを含む、請求項１に記載の方法。
【請求項８】
前記１つまたは複数のコンピューティングデバイスは、前記暗号化されたコンテンツの解読を可能にするライセンスをライセンスサーバーから入手する、請求項１に記載の方法。
【請求項９】
前記受信されたファイルは、暗号化キーを識別するキー識別子を含むサンプル暗号化ボックスをさらに格納し、前記サンプル暗号化ボックスは、前記保護システムヘッダーボックスにわたって共有される、請求項１に記載の方法。